【手続補正書】
【提出日】平成18年2月7日(2006.2.7)
【手続補正１】
【補正対象書類名】明細書
【補正対象項目名】発明の名称
【補正方法】変更
【補正の内容】
【発明の名称】画像処理装置、画像処理方法、記録媒体及びプログラム
【手続補正２】
【補正対象書類名】明細書
【補正対象項目名】特許請求の範囲
【補正方法】変更
【補正の内容】
【特許請求の範囲】
【請求項１】  画像データを処理して画像を表示する画像処理装置であって、
前記画像の一部を拡大した部分拡大画像を生成する部分拡大手段と、
前記画像または前記画像の上に前記部分拡大手段の生成した前記部分拡大画像を重ねた画像を表示する表示手段と、
前記表示手段が表示中の前記画像をズーム処理するズーム処理手段と、
前記表示手段が前記画像の上に前記部分拡大画像を重ねた画像を表示しているか否かにより、前記画像ズーム手段が前記画像をズーム処理する際の基準となる位置を変更するズーム処理制御手段と
を具備することを特徴とする画像処理装置。
【請求項２】  前記ズーム処理制御手段は、前記表示手段が前記画像の上に前記部分拡大画像を重ねて表示している場合は、前記画像ズーム手段が前記画像をズーム処理する際の基準となる位置を前記部分拡大画像の中心とし、前記表示手段が前記画像を表示している場合は、前記画像ズーム手段が前記画像をズーム処理する際の基準となる位置を前記画像の中心とするよう前記ズーム処理手段を制御することを特徴とする請求項１に記載の画像処理装置。
【請求項３】  画像データを処理して画像を表示する画像処理装置であって、
前記画像の一部を拡大した部分拡大画像を生成する部分拡大手段と、
前記画像または前記画像の上に前記部分拡大手段の生成した前記部分拡大画像を重ねた画像を表示する表示手段と、
前記表示手段が表示中の前記画像をズーム処理するズーム処理手段と、
前記表示手段が前記部分拡大画像を重ねた画像を表示しているか否かにより、前記部分拡大手段が拡大する画像の一部の位置を前記ズーム処理に応じて変更する部分拡大処理制御手段と
を具備することを特徴とする画像処理装置。
【請求項４】  前記部分拡大処理制御手段は、前記表示手段が前記画像の上に前記部分拡大画像を重ねて表示している場合は、前記部分拡大手段が拡大する画像の一部の位置をズーム処理前とズーム処理後で同じになるように前記部分拡大手段を制御することを特徴とする請求項３に記載の画像処理装置。
【請求項５】  前記部分拡大手段が拡大する画像の一部の位置は自由に変更できる場合に、変更後の前記位置に関する情報である位置情報を格納する部分拡大画像位置保持部を更に具備することを特徴とする請求項１乃至請求項４のいずれか１項に記載の画像処理装置。
【請求項６】  前記部分拡大手段が生成する部分拡大画像の表示サイズが自由に変更できる場合に、変更後の前記表示サイズに関する情報である表示サイズ情報を格納する部分拡大画像表示サイズ保持部を更に具備することを特徴とする請求項１乃至請求項５のいずれか１項に記載の画像処理装置。
【請求項７】  画像データを処理して画像を表示する画像処理装置を用いた画像処理方法であって、
前記画像の一部を拡大した部分拡大画像を生成する第１のステップと、
前記画像または前記画像の上に前記第１のステップで生成した前記部分拡大画像を重ねた画像を表示する第２のステップと、
前記第２のステップで前記画像の上に前記部分拡大画像を重ねた画像を表示しているか否かに応じて、前記画像をズーム処理する際の基準となる位置を定める第３のステップと、
前記第２のステップで表示中の前記画像を前記第３のステップで定めた位置を基準にズーム処理する第４のステップと
を有することを特徴とする画像処理方法。
【請求項８】  前記第３のステップは、前記第２のステップで前記画像の上に前記部分拡大画像を重ねた画像を表示している場合は、前記画像をズーム処理する際の基準となる位置を前記部分拡大画像の中心とし、前記第２のステップで前記画像を表示している場合は、前記画像をズーム処理する際の基準となる位置を前記画像の中心とするよう定めることを特徴とする請求項７に記載の画像処理方法。
【請求項９】  画像データを処理して画像を表示する画像処理装置を用いた画像処理方法であって、
前記画像の一部を拡大した部分拡大画像を生成する第１のステップと、
前記画像の上に前記第１のステップで生成した前記部分拡大画像を重ねて表示する第２のステップと、
前記第２のステップで表示中の前記画像をズーム処理する第３のステップと、
前記第２のステップで前記画像の上に前記部分拡大画像を重ねて表示している場合に、前記第３のステップでのズーム処理後に拡大する前記画像の一部の位置を前記ズーム処理に応じて変更する第４のステップと、
前記第４のステップで変更した位置の部分拡大画像を生成する第５のステップと
を有することを特徴とする画像処理方法。
【請求項１０】  前記第４のステップは、前記第２のステップで前記画像の上に前記部分拡大画像を重ねて表示している場合に、拡大する画像の一部の位置をズーム処理前とズーム処理後で同じになるように変更することを特徴とする請求項９に記載の画像処理方法。
【請求項１１】  画像の一部を拡大した部分拡大画像を生成する第１のステップと、
前記画像または前記画像の上に前記第１のステップで生成した前記部分拡大画像を重ねた画像を表示する第２のステップと、
前記第２のステップで前記画像の上に前記部分拡大画像を重ねた画像を表示しているか否かに応じて、前記画像をズーム処理する際の基準となる位置を定める第３のステップと、
前記第２のステップで表示中の前記画像を前記第３のステップで定めた位置を基準にズーム処理する第４のステップと
をコンピュータに実行させるためのプログラムを記録したコンピュータ読み取り可能な記録媒体。
【請求項１２】  画像の一部を拡大した部分拡大画像を生成する第１のステップと、
前記画像の上に前記第１のステップで生成した前記部分拡大画像を重ねて表示する第２のステップと、
前記第２のステップで表示中の前記画像をズーム処理する第３のステップと、
前記第２のステップで前記画像の上に前記部分拡大画像を重ねて表示している場合に、前記第３のステップでのズーム処理後に拡大する前記画像の一部の位置を前記ズーム処理に応じて変更する第４のステップと、
前記第４のステップで変更した位置の部分拡大画像を生成する第５のステップと
をコンピュータに実行させるためのプログラムを記録したコンピュータ読み取り可能な記録媒体。
【請求項１３】  画像の一部を拡大した部分拡大画像を生成する第１のステップと、
前記画像または前記画像の上に前記第１のステップで生成した前記部分拡大画像を重ねた画像を表示する第２のステップと、
前記第２のステップで前記画像の上に前記部分拡大画像を重ねた画像を表示しているか否かに応じて、前記画像をズーム処理する際の基準となる位置を定める第３のステップと、
前記第２のステップで表示中の前記画像を前記第３のステップで定めた位置を基準にズーム処理する第４のステップと
をコンピュータに実行させるためのプログラム。
【請求項１４】  画像の一部を拡大した部分拡大画像を生成する第１のステップと、
前記画像の上に前記第１のステップで生成した前記部分拡大画像を重ねて表示する第２のステップと、
前記第２のステップで表示中の前記画像をズーム処理する第３のステップと、
前記第２のステップで前記画像の上に前記部分拡大画像を重ねて表示している場合に、前記第３のステップでのズーム処理後に拡大する前記画像の一部の位置を前記ズーム処理に応じて変更する第４のステップと、
前記第４のステップで変更した位置の部分拡大画像を生成する第５のステップと
をコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、画像処理装置、画像処理方法、記録媒体及びプログラムに関する。
【手続補正４】
【補正対象書類名】明細書
【補正対象項目名】０００６
【補正方法】変更
【補正の内容】
【０００６】
この発明は、上述した事情を考慮してなされたもので、部分拡大画像が表示されている際に元の全体画像をズーム処理しても部分拡大画像が本来表示していた部分を正確に表示することを目的とする。
【手続補正５】
【補正対象書類名】明細書
【補正対象項目名】０００７
【補正方法】変更
【補正の内容】
【０００７】
【課題を解決するための手段】
この発明は、上述した課題を解決すべくなされたもので、本発明による画像処理装置においては、画像データを処理して画像を表示する画像処理装置であって、画像の一部を拡大した部分拡大画像を生成する部分拡大手段と、画像または画像の上に部分拡大手段の生成した部分拡大画像を重ねた画像を表示する表示手段と、表示手段が表示中の画像をズーム処理するズーム処理手段と、表示手段が画像の上に部分拡大画像を重ねた画像を表示しているか否かにより、画像ズーム手段が画像をズーム処理する際の基準となる位置を変更するズーム処理制御手段とを具備することを特徴とする。
また、本発明による画像処理装置においては、画像データを処理して画像を表示する画像処理装置であって、前記画像の一部を拡大した部分拡大画像を生成する部分拡大手段と、前記画像または前記画像の上に前記部分拡大手段の生成した前記部分拡大画像を重ねた画像を表示する表示手段と、前記表示手段が表示中の前記画像をズーム処理するズーム処理手段と、前記表示手段が前記部分拡大画像を重ねた画像を表示しているか否かにより、前記部分拡大手段が拡大する画像の一部の位置を前記ズーム処理に応じて変更する部分拡大処理制御手段とを具備することを特徴とする。
また、本発明による画像処理方法においては、画像データを処理して画像を表示する画像処理装置を用いた画像処理方法であって、前記画像の一部を拡大した部分拡大画像を生成する第１のステップと、前記画像または前記画像の上に前記第１のステップで生成した前記部分拡大画像を重ねた画像を表示する第２のステップと、前記第２のステップで前記画像の上に前記部分拡大画像を重ねた画像を表示しているか否かに応じて、前記画像をズーム処理する際の基準となる位置を定める第３のステップと、前記第２のステップで表示中の前記画像を前記第３のステップで定めた位置を基準にズーム処理する第４のステップとを有することを特徴とする。
また、本発明による画像処理方法においては、画像データを処理して画像を表示する画像処理装置を用いた画像処理方法であって、前記画像の一部を拡大した部分拡大画像を生成する第１のステップと、前記画像の上に前記第１のステップで生成した前記部分拡大画像を重ねて表示する第２のステップと、前記第２のステップで表示中の前記画像をズーム処理する第３のステップと、前記第２のステップで前記画像の上に前記部分拡大画像を重ねて表示している場合に、前記第３のステップでのズーム処理後に拡大する前記画像の一部の位置を前記ズーム処理に応じて変更する第４のステップと、前記第４のステップで変更した位置の部分拡大画像を生成する第５のステップとを有することを特徴とする。
【手続補正６】
【補正対象書類名】明細書
【補正対象項目名】００５７
【補正方法】削除
【補正の内容】
【手続補正７】
【補正対象書類名】明細書
【補正対象項目名】００５８
【補正方法】削除
【補正の内容】
【手続補正８】
【補正対象書類名】明細書
【補正対象項目名】００５９
【補正方法】削除
【補正の内容】
【手続補正９】
【補正対象書類名】明細書
【補正対象項目名】００６０
【補正方法】削除
【補正の内容】
【手続補正１０】
【補正対象書類名】明細書
【補正対象項目名】００６１
【補正方法】削除
【補正の内容】
【手続補正１１】
【補正対象書類名】明細書
【補正対象項目名】００６２
【補正方法】削除
【補正の内容】
【手続補正１２】
【補正対象書類名】明細書
【補正対象項目名】００６３
【補正方法】削除
【補正の内容】
【手続補正１３】
【補正対象書類名】明細書
【補正対象項目名】００６４
【補正方法】削除
【補正の内容】
【手続補正１４】
【補正対象書類名】明細書
【補正対象項目名】００６５
【補正方法】削除
【補正の内容】
【手続補正１５】
【補正対象書類名】明細書
【補正対象項目名】００６６
【補正方法】削除
【補正の内容】
【手続補正１６】
【補正対象書類名】明細書
【補正対象項目名】００６７
【補正方法】削除
【補正の内容】
【手続補正１７】
【補正対象書類名】明細書
【補正対象項目名】００６８
【補正方法】削除
【補正の内容】
【手続補正１８】
【補正対象書類名】明細書
【補正対象項目名】００６９
【補正方法】削除
【補正の内容】
【手続補正１９】
【補正対象書類名】明細書
【補正対象項目名】００７０
【補正方法】削除
【補正の内容】
【手続補正２０】
【補正対象書類名】明細書
【補正対象項目名】００７１
【補正方法】削除
【補正の内容】
【手続補正２１】
【補正対象書類名】明細書
【補正対象項目名】００７２
【補正方法】削除
【補正の内容】
【手続補正２２】
【補正対象書類名】明細書
【補正対象項目名】００７３
【補正方法】削除
【補正の内容】
【手続補正２３】
【補正対象書類名】明細書
【補正対象項目名】００７４
【補正方法】削除
【補正の内容】
【手続補正２４】
【補正対象書類名】明細書
【補正対象項目名】００７５
【補正方法】削除
【補正の内容】
【手続補正２５】
【補正対象書類名】明細書
【補正対象項目名】００７６
【補正方法】変更
【補正の内容】
【００７６】
以上、上述した実施例によれば、部分拡大画像が表示されている際に、全体画像をズームしてもその位置関係を保つことが可能となり、本来拡大していた部分を、全体画像をズームした後でも正確に表示することができる。したがって、利用者は視点の移動を最小限に抑えることができ、思考を中断されることがないため効率の良い読影が可能になると共に、虫眼鏡の位置を再度変更する必要もないため操作性もまた向上させることができる。
【手続補正２６】
【補正対象書類名】明細書
【補正対象項目名】００７７
【補正方法】変更
【補正の内容】
【００７７】
【発明の効果】
以上説明したように、本発明によれば、部分拡大画像が表示されている際に元の全体画像をズーム処理しても部分拡大画像が本来表示していた部分を正確に表示することができる。